(57)【要約】【課題】特開２０１１−１０５３８７はシート収納箱のシート取り出し用の開口部の開口部にビニールシートが張ってないものの中ではシートがスムーズに取り出せホコリが入りにくいシート取り出し用の開口部であったが、条件によってはシート取り出し用の開口部が狭いものとなり、シート収納箱に手を入れた際指をけがする可能性が否定できなかった。【解決手段】シート取り出し用開口部の狭くなった部分で指を挟まないようにし、かつ、ミシン目によりシート収納箱から取り外した蓋で子供がけがをしにくいようにした、シート収納箱のシート取り出し用開口部である。【選択図】図５
2013067409.tif 000002
【特許請求の範囲】
【請求項１】
開口部から取り出すシートが収納された状態のシートにおける平均的なシートの折り目方向と平行又はほぼ平行な開口部中心を通過する直線を軸に開口部を１８０度回転すると非線対称であり、かつ、点対称であるシート取り出し用開口部が、
開口部中心を中点とした対角２対になだらかな凸形状曲線の開口部縁を有し、
その開口部縁は交互に設置され、、対角にある開口部縁の頂点の高さが同じ又はほぼ同じであり、かつ、向かい合う又は隣り合う開口部縁の頂点の高さが異なり、
開口部中心の直径３ｍｍの円以内及び開口部両端の直径２ｍｍの円以内の３カ所で必ず開口部縁又は蓋が存在せず開通した空間となり、
前述の２対のなだらかな凸形状曲線の開口部縁は、前述の３カ所の空間の間に位置して形づくられ、
前述の開口部両端の直径２ｍｍ以上の空間を形成する両側の開口部縁は、上記の向かい合い頂点の高さの異なるなだらかな凸形状曲線に接するなだらかな凹形状曲線により形づくられた開口部縁となり、
前述の開口部中心を含む空間を形成する開口部縁の向かい合う対角の形状が、両側のなだらかな凸形状曲線の開口部縁の頂点の高さより低い凸形状曲線よりなる小さい突起を２個ずつ接して形づくられる開口部縁形状となる、シート取り出し用開口部であり、
上記のシート取り出し用の開口部において、上記の向かい合う頂点の高さの異なるなだらかな凸形状曲線の最短の距離が１ｃｍ以上であり、
かつ、対角に位置するなだらかな凸形状曲線の開口部縁において、高さの高い方のなだらかな凸形状曲線の開口部縁同士の開口部中心を通過する最短距離の直線距離が４ｃｍ以上であり、
かつ、前述の開口部中心を含む空間を形成する開口部縁の向かい合う対角に位置する小さい２個の突起の頂点の最短距離が５．５ｃｍ以上であることを特徴とする、シート収納箱。
【請求項２】
シート収納箱のシート取り出し用開口部に接して設けミシン目によって切り取る上蓋において、
上記請求項１の開口部両端の直径２ｍｍ以上の空間を形成する両側の開口部縁における、向かい合い頂点の高さの異なるなだらかな凸形状曲線に接するなだらかな凹形状曲線により形づくられる計４カ所のくさび形の開口部縁、
及び、上記請求項１の開口部中心を含む空間を形成する開口部縁の向かい合う対角の形状が、両側のなだらかな凸形状曲線の開口部縁の頂点の高さより低い凸形状曲線よりなる小さい突起を２個ずつ接して形づくられる計６カ所のくさび形の開口部縁、
付近のシート取り出し用開口部に接する上蓋の鋭利なくさび形部分を最初から切り取った形状であり、かつ、切り取った後の上蓋部分が凸型の曲線形状、であることを特徴とする、シート収納箱。
【発明の詳細な説明】
【技術分野】
【０００１】
本発明はシート収納箱に関する。
【背景技術】
【０００２】
従来のシート及びシート収納箱において、以下０００３〜０００８及び図１〜図３により、説明する。
【０００３】
図１は一般的なシート一例の簡略図を示し、（A)はシートを広げた図で、（B)は（１’）の折り目に沿ってシートを半折りした図で、（１）はシート、（１’）はシートの折り目であり、点線円（１R）はシートの向かって右側部分付近、点線円（１L）はシートの向かって左側部分付近である。
【０００４】
以下、ティッシュペーパーを折った時にできる線を折り目とし、図１の（１’）で示し、その折り目と平行な次に出てくるティッシュペーパーの縁を継ぎ目とし、ティッシュペーパーが複数収納されている場合継ぎ目と折り目は連続している。
【０００５】
従来のティッシュペーパーは二枚一組で重ね合わせたものを一枚のシートとし、そのティッシュペーパーを一回折ったものが一般的であり、ティッシュペーパーの折ったそれぞれの面の大きさや折り目の線の位置は必ずしも均一ではなく、ティッシュペーパーの大きさや形状は様々なものがある。
【０００６】
図２は一般的なシート収納箱一例の簡略図を示し、図２の（A）はシート収納箱を斜めから見た図であり、（B）はシート収納箱を真上から見た図である。
【０００７】
図３は従来のシート収納箱のシート取り出し用の開口部がある面を真上から見た簡略図の一例を示し、図３の（A）はシート収納箱の開口部面にミシン目によって取り去る上蓋がついている図で、図３の（B）は（A）の開口部面から上蓋を取り外したシート収納箱の図で、図３の（C）は（A）のシート収納箱から取り外した上蓋の図である。
【０００８】
図３の（B）の開口部縁において、点（b）の開口部縁に指をつけたまま矢印方向に指をスライドさせると開口部が凹形状となっているので指が開口部に押しつけられミシン目との抵抗が大きくなることが解り、
図３の（C）の蓋において、点（ｃ）の蓋の縁に指をつけたまま矢印方向に指をスライドさせると縁が突形状となっているので上記の凹形状の縁に比べ指にミシン目の抵抗がかかりにくくなっていることが解る。
【先行技術文献】
【特許文献】
【０００９】
【特許文献１】特開２０１１−１０５３８７
【発明の概要】
【発明が解決しようとする課題】
【００１０】
特開２０１１−１０５３８７はシート収納箱のシート取り出し用の開口部の開口部にビニールシートが張ってないものの中ではシートがスムーズに取り出せホコリが入りにくいシート取り出し用の開口部であったが、条件によってはシート取り出し用の開口部が狭いものとなり、シート収納箱に手を入れた際指をけがする可能性が否定できなかった。
【００１１】
よって上記の課題を解決するために本発明では、シート取り出し用開口部の狭くなった部分で指を挟まないようにし、かつ、ミシン目によりシート収納箱から取り外した蓋で子供がけがをしにくいようにした、シート収納箱のシート取り出し用開口部である。
【課題を解決するための手段】
【００１２】
上記目的を達成するために、本発明のシート収納箱の解決手段の一つは、
開口部から取り出すシートが収納された状態のシートにおける平均的なシートの折り目方向と平行又はほぼ平行な開口部中心を通過する直線を軸に開口部を１８０度回転すると非線対称であり、かつ、点対称であるシート取り出し用開口部が、
開口部中心を中点とした対角２対になだらかな凸形状曲線の開口部縁を有し、
その開口部縁は交互に設置され、、対角にある開口部縁の頂点の高さが同じ又はほぼ同じであり、かつ、向かい合う又は隣り合う開口部縁の頂点の高さが異なり、
開口部中心の直径３ｍｍの円以内及び開口部両端の直径２ｍｍの円以内の３カ所で必ず開口部縁又は蓋が存在せず開通した空間となり、
前述の２対のなだらかな凸形状曲線の開口部縁は、前述の３カ所の空間の間に位置して形づくられ、
前述の開口部両端の直径２ｍｍ以上の空間を形成する両側の開口部縁は、上記の向かい合い頂点の高さの異なるなだらかな凸形状曲線に接するなだらかな凹形状曲線により形づくられた開口部縁となり、
前述の開口部中心を含む空間を形成する開口部縁の向かい合う対角の形状が、両側のなだらかな凸形状曲線の開口部縁の頂点の高さより低い凸形状曲線よりなる小さい突起を２個ずつ接して形づくられる開口部縁形状となる、シート取り出し用開口部であり、
上記のシート取り出し用の開口部において、上記の向かい合う頂点の高さの異なるなだらかな凸形状曲線の最短の距離が１ｃｍ以上であり、
かつ、対角に位置するなだらかな凸形状曲線の開口部縁において、高さの高い方のなだらかな凸形状曲線の開口部縁同士の開口部中心を通過する最短距離の直線距離が４ｃｍ以上であり、
かつ、前述の開口部中心を含む空間を形成する開口部縁の向かい合う対角に位置する小さい２個の突起の頂点の最短距離が５．５ｃｍ以上であることを特徴とする。
【００１３】
本発明のシート収納箱の解決手段の一つの、シート収納箱のシート取り出し用開口部に接して設けミシン目によって切り取る上蓋において、
上記００１２の開口部両端の直径２ｍｍ以上の空間を形成する両側の開口部縁における、向かい合い頂点の高さの異なるなだらかな凸形状曲線に接するなだらかな凹形状曲線により形づくられる計４カ所のくさび形の開口部縁、
及び、上記００１２の開口部中心を含む空間を形成する開口部縁の向かい合う対角の形状が、両側のなだらかな凸形状曲線の開口部縁の頂点の高さより低い凸形状曲線よりなる小さい突起を２個ずつ接して形づくられる計６カ所のくさび形の開口部縁、
付近のシート取り出し用開口部に接する上蓋の鋭利なくさび形部分を最初から切り取った形状であり、かつ、切り取った後の上蓋部分が凸型の曲線形状、であることを特徴とする。
【００１４】
上記００１２の作用は、開口部から取り出すシートが収納された状態のシートにおける平均的なシートの折り目方向と平行又はほぼ平行な開口部中心を通過する直線を軸に開口部を１８０度回転すると非線対称であり、かつ、点対称であるシート取り出し用開口部が、開口部中心を中点とした対角２対になだらかな凸形状曲線の開口部縁を有し、その開口部縁は交互に設置され、、対角にある開口部縁の頂点の高さが同じ又はほぼ同じであり、かつ、向かい合う又は隣り合う開口部縁の頂点の高さが異なり、開口部中心の直径３ｍｍの円以内及び開口部両端の直径２ｍｍの円以内の３カ所で必ず開口部縁又は蓋が存在せず開通した空間となり、前述の２対のなだらかな凸形状曲線の開口部縁は、前述の３カ所の空間の間に位置して形づくられ、前述の開口部両端の直径２ｍｍ以上の空間を形成する両側の開口部縁は、上記の向かい合い頂点の高さの異なるなだらかな凸形状曲線に接するなだらかな凹形状曲線により形づくられた開口部縁となり、前述の開口部中心を含む空間を形成する開口部縁の向かい合う対角の形状が、両側のなだらかな凸形状曲線の開口部縁の頂点の高さより低い凸形状曲線よりなる小さい突起を２個ずつ接して形づくられる開口部縁形状となる、シート取り出し用開口部であり、上記のシート取り出し用の開口部において、上記の向かい合う頂点の高さの異なるなだらかな凸形状曲線の最短の距離が１ｃｍ以上であり、かつ、対角に位置するなだらかな凸形状曲線の開口部縁において、高さの高い方のなだらかな凸形状曲線の開口部縁同士の開口部中心を通過する最短距離の直線距離が４ｃｍ以上であり、かつ、前述の開口部中心を含む空間を形成する開口部縁の向かい合う対角に位置する小さい２個の突起の頂点の最短距離が５．５ｃｍ以上であるために、シート収納箱のシート取り出し用開口部縁の空間を広くすることができる。
【００１５】
上記００１３の作用は、シート収納箱のシート取り出し用開口部に接して設けミシン目によって切り取る上蓋において、上記００１２の開口部両端の直径２ｍｍ以上の空間を形成する両側の開口部縁における、向かい合い頂点の高さの異なるなだらかな凸形状曲線に接するなだらかな凹形状曲線により形づくられる計４カ所のくさび形の開口部縁、及び、上記００１２の開口部中心を含む空間を形成する開口部縁の向かい合う対角の形状が、両側のなだらかな凸形状曲線の開口部縁の頂点の高さより低い凸形状曲線よりなる小さい突起を２個ずつ接して形づくられる計６カ所のくさび形の開口部縁、付近のシート取り出し用開口部に接する上蓋の鋭利なくさび形部分を最初から切り取った形状であり、かつ、切り取った後の上蓋部分が凸型の曲線形状、であることを特徴とするために、シート収納箱から取り外す上蓋に鋭利な部分がないようにすることができる。
【発明の効果】
【００１６】
本発明のシート収納箱の一つは、シート収納箱のシート取り出し用開口部縁の空間を広くすることができるために、シート収納箱の開口部縁で指を挟むことがほとんどなくなる、という効果を有する。
【００１７】
本発明のシート収納箱の一つは、シート収納箱から取り外す上蓋に鋭利な部分がないようにすることができるために、子供が上蓋で遊んだ時に上蓋が人体に刺さりにくくすることができる。
【図面の簡単な説明】
【００１８】
【図１】一般的なシート一例の簡略図
【図２】一般的なシート収納箱一例の簡略図
【図３】従来のシート収納箱一例の簡略図
【図４】本発明のシート収納箱一例の簡略図
【図５】本発明のシート収納箱一例の簡略図
【図６】本発明のシート収納箱一例の簡略図
【図７】本発明の開口部縁付近と上蓋付近一例の簡略図
【発明を実施するための最良の形態】
【００１９】
図４は本発明の請求項１のシート収納箱のシートの折り目方向と平行又はほぼ平行な開口部中心を通過する直線（X-X'）を軸に開口部を１８０度回転すると非線対称であり、かつ、点対称であるシート取り出し用開口部一例の簡略図を示したものであり、
開口部中心を中点とした対角２対になだらかな凸形状曲線の開口部縁（２、２’）を有し、
その開口部縁は交互に設置され、、対角にある開口部縁の頂点の高さが同じ又はほぼ同じであり、かつ、向かい合う又は隣り合う開口部縁の頂点の高さ（２と２’）が異なり、
開口部中心の直径３ｍｍの円（a）以内及び開口部両端の直径２ｍｍの円以内（ｂ）の３カ所で必ず開口部縁又は蓋が存在せず開通した空間となり、
前述の２対のなだらかな凸形状曲線の開口部縁（２と２’）は、前述の３カ所の空間（aとｂ）の間に位置して形づくられ、
前述の開口部両端の直径２ｍｍ以上の空間（ｂ）を形成する両側の開口部縁（３）は、上記の向かい合い頂点の高さの異なるなだらかな凸形状曲線（２と２’）に接するなだらかな凹形状曲線により形づくられた開口部縁となり、
前述の開口部中心を含む空間（a）を形成する開口部縁の向かい合う対角の形状が、両側のなだらかな凸形状曲線の開口部縁の頂点の高さより低い凸形状曲線よりなる小さい突起（４）を２個ずつ接して形づくられる開口部縁形状となる、シート取り出し用開口部を示したものである。
【００２０】
図５は本発明の請求項１のシート収納箱のシートの折り目方向と平行又はほぼ平行な開口部中心を通過する直線（X-X'）を軸に開口部を１８０度回転すると非線対称であり、かつ、点対称であるシート取り出し用開口部一例の簡略図を示したものであり、
上記のシート取り出し用の開口部において、上記の向かい合う頂点の高さの異なるなだらかな凸形状曲線（２と２’）の最短の距離（ｈ）が１ｃｍ以上であり、
かつ、対角に位置するなだらかな凸形状曲線の開口部縁において、高さの高い方のなだらかな凸形状曲線の開口部縁（２と２）同士の開口部中心を通過する最短距離（i）が４ｃｍ以上であり、
かつ、前述の開口部中心を含む空間を形成する開口部縁の向かい合う対角に位置する小さい２個の突起（４）の頂点の最短距離（ｊ）が５．５ｃｍ以上である、シート取り出し用開口部を示したものである。
【００２１】
図６は本発明の請求項１及び請求項２のシート収納箱一例の簡略図を示したものであり、本発明のシート収納箱の解決手段の一つの、シート収納箱のシート取り出し用開口部に接して設けミシン目によって切り取る上蓋（５）において、
上記００１２の開口部両端の直径２ｍｍ以上の空間（ｂ）を形成する両側の開口部縁（３）における、向かい合い頂点の高さの異なるなだらかな凸形状曲線に接するなだらかな凹形状曲線により形づくられる計４カ所のくさび形の開口部縁（６）、
及び、上記００１２の開口部中心を含む空間（a）を形成する開口部縁の向かい合う対角の形状が、両側のなだらかな凸形状曲線の開口部縁の頂点の高さより低い凸形状曲線よりなる小さい突起（４）を２個ずつ接して形づくられる計６カ所のくさび形の開口部縁（７）、
付近のシート取り出し用開口部に接する上蓋（５）の鋭利なくさび形部分を最初から切り取った形状であり、かつ、切り取った後の上蓋部分が凸型の曲線形状、を示したものである。
【実施例】
【００２２】
図７は請求項１のくさび形の開口部縁付近と請求項２の上蓋付近の一例の簡略図を示し、（A)はくさび形の１つの開口部縁（８）に対して上蓋の曲線（９）を一つ対応させたもので、（B）はくさび形の３つの開口部縁に対して上蓋の曲線（９）を一つ対応させたものである。
【００２３】
本発明の実施態様は以下の通りである。
１．本発明の請求項の条件を満たすものであれば、それらの形状や材質の種類は限定しない。
【符号の説明】
【００２４】
１：シート  、１’：シートの折り目    、２・２’：なだらかな凸形状曲線の開口部縁
３：開口部縁  、４：小さい突起  、５：上蓋  、６：開口部縁  、７：開口部縁
８：シート取り出し用開口部  、９：上蓋
【図１】
2013067409.tif 000003
【図２】
2013067409.tif 000004
【図３】
2013067409.tif 000005
【図４】
2013067409.tif 000006
【図５】
2013067409.tif 000007
【図６】
2013067409.tif 000008
【図７】
2013067409.tif 000009